(57)【要約】  【課題】  系統内を流動する水の補給薬品量を減らすことでランニングコストを低く抑える。また、系統内を流動する水の水質を調整するために使用している薬品の、系統内から排出される量を低減し、環境への影響を低減するとともに、薬品の再利用を行うことで、ランニングコストを低く抑える。  【解決手段】  蒸気を回収する蒸気回収手段４１３と、薬品と共に液体化する液化手段４２１と、水を混合する混合手段４３１とを有しており、混合手段４３１で混合された水を前記系統に戻す系統の薬品及び系統から排出される水の回収装置。  【選択図】      図２
2005349308.tif 000002
【特許請求の範囲】
【請求項１】
系統に設けられた配管内を流動する循環水のうち系統外部に排出される水の中から薬品を回収する回収方法であって、
前記系統より排出される蒸気及びドレン水を回収する蒸気回収工程と、
前記蒸気回収工程で回収された蒸気を該蒸気中に含まれる薬品と共に液体化する液化工程と、
前記蒸気回収工程にて回収されたドレン水と前記液化工程で液体化された水を混合する混合工程と、
前記混合工程で混合された水をドレン水として前記系統に戻す工程とを有することを特徴とする系統の薬品の回収方法。
【請求項２】
前記混合工程にて混合された水に溶存している炭酸を取り除く脱炭酸工程を有していることを特徴とする請求項１に記載の系統の薬品の回収方法。
【請求項３】
前記系統に設けられた配管内を流動する循環水のうち、前記系統外部に排出される水の  中から薬品を回収する回収装置であって、
前記系統より排出される蒸気及びドレン水を回収する蒸気回収手段と、
前記蒸気回収工程で回収された蒸気を該蒸気中に含まれる薬品と共に液体化する液化手段と、
前記蒸気回収工程にて回収されたドレン水と前記液化工程で液体化されたドレン水を混合する混合手段と、
前記混合手段で混合された水を前記系統にドレン水として戻す手段とを有することを特徴とする系統の薬品の回収装置。
【請求項４】
前記混合手段にて混合された水に溶存している炭酸を取り除く脱炭酸手段を有していることを特徴とする請求項３に記載の系統の薬品の回収装置。
【請求項５】
前記液化手段はスクラバーであることを特徴とする請求項３又は請求項４に記載の系統の薬品の回収装置。
【請求項６】
前記スクラバーに純水を供給することを特徴とする請求項５に記載の系統の薬品の回収装置。
【請求項７】
前記スクラバーの水を循環させることを特徴とする請求項５又は請求項６に記載の系統の薬品の回収装置。
【請求項８】
前記系統に薬品を投入するときに薬品を希釈するための薬品希釈手段を有しており、
前記混合手段にて混合された水を前記薬品希釈手段に導入することを特徴とする請求項３から請求項７のいずれかに記載の系統の薬品の回収装置。
【請求項９】
前記混合手段にて混合された水より薬品を分離する薬品分離手段を有しており、
前記薬品分離手段にて分離された薬品を前記系統に投入される薬品として再利用することを特徴とする請求項３から請求項７のいずれかに記載の系統の薬品の回収装置。
【発明の詳細な説明】
【技術分野】
【０００１】
本発明は、原子力発電所二次冷却系、火力発電所、コンバインドサイクルタービンプラント等のプラントに投入するｐＨ調整等に用いる薬品の回収方法及びその回収方法を利用した回収装置に関するものである。
【背景技術】
【０００２】
原子力発電所二次冷却系（復水系統）、火力発電所、コンバインドサイクルタービンプラント等のプラントでは、配管の腐食等を防止するために、該プラント内を流れる循環水のｐＨの調整を行っている。例えば原子力発電所の二次冷却系の場合、蒸気発生器で発生した蒸気は、高圧タービン、低圧タービンで減圧された後、復水器で凝縮して水となり、復水脱塩設備、低圧側ヒータ、脱気器、高圧側ヒータを通って、蒸気発生器に戻ってくるという復水の循環系を構成する（以下、復水の循環水系を系統と呼ぶ）。また復水器には系統内で使用される給水ポンプシール水等を回収する復水回収タンクを付属する場合もある。
【０００３】
前記系統では該系統の内部を循環する水（以下、循環水という）に、アンモニア（ＮＨ３）及びヒドラジン（Ｎ２Ｈ４）等の薬品を投入し、循環水の水質を調整している。薬品を投入して循環水中のｐＨを調整することで、配管の腐食防止を図っている。
【０００４】
前記系統の復水器では、該復水器に流入してきた水、蒸気に混入している非凝縮性ガスを取り除くために、復水器内に溜まった空気を真空引きして排気している。このとき、空気と一緒に前記薬品を含んだ蒸気の一部も排出されている。この蒸気を含んだ空気をセパレータタンクで気液分離して、空気と水に分離して、薬品含有蒸気は薬品と共に大気中に放出され、分離した水は排水処理装置で水処理後排水されている。
【特許文献１】特開２００１−３１８１８８号公報
【特許文献２】特開２００３−１９４３８号公報
【発明の開示】
【発明が解決しようとする課題】
【０００５】
しかしながら、前記系統内を循環する循環水に投入する薬品（アンモニア（ＮＨ３）、ヒドラジン（Ｎ２Ｈ４））等は有毒であり、高濃度薬品を含む空気（蒸気）を大気に放出すると、環境破壊の原因となる。
【０００６】
特に近年、前記系統内の循環水のｐＨを上げて運転する方向にあり、循環水中の薬品濃度があがりつつある。このような場合、復水器での排ガス中の薬品濃度、更にはセパレータタンクから大気放出される排ガス中の薬品濃度も従来よりも高濃度となり、環境問題の観点から好ましくない。また大気放出により、前記系統から薬品及び水等が失われることにもなり、ランニングコストの上昇にもなる。
【０００７】
このような問題を鑑みて本発明は、薬品の前記系統外への流出を低減し、外部環境への悪影響を低減するとともに、薬品投入等のランニングコストの上昇を抑えることを目的とする。
【課題を解決するための手段】
【０００８】
上記目的を達成するために本発明は、系統に設けられた配管内を流動する循環水のうち、前記系統外部に排出される水の中から薬品を回収する回収方法であって、前記系統より排出される蒸気及びドレン水を回収する蒸気回収工程と、前記蒸気回収工程で回収された蒸気を該蒸気中に含まれる薬品と共に液体化する液化工程と、前記蒸気回収工程にて回収されたドレン水と前記液化工程で液体化された水を混合する混合工程と、前記蒸気回収工程にて回収された水と前記液化工程で液体化された水をドレン水として前記系統に戻す工程とを有することを特徴とする。
【０００９】
この構成によると、前記系統内の循環水及び（又は）その水に溶存している薬品を回収することができるので、大気中へ放出する薬品量を低減することができる。また回収した水及び（又は）その水に溶存している薬品を再度利用するので、水及び薬品の前記系統への補給量を減少させることができる。
【００１０】
また前記系統が必要とする場合には、上記構成の混合工程にて混合されたドレン水に溶存している炭酸を取り除く脱炭酸工程を有していてもよい。
【００１１】
前記脱炭酸工程を備えることで、二酸化炭素を取り除くことができるので、前記系統内の水のｐＨを維持することができ、ｐＨを維持するための薬品補給量を減少させることができる。また、二酸化炭素が含まれる事による水質監視計器の性能低下もしくは変化を抑えることができる。
【００１２】
また、上記目的を達成するために本発明は、前記系統外部に排出される水の中から薬品を回収する回収装置であって、前記系統より排出される蒸気及びドレン水を回収する蒸気回収手段と、前記蒸気回収工程で回収された蒸気を該蒸気中に含まれる薬品と共に液体化する液化手段と、前記蒸気回収工程にて回収されたドレン水と前記液化工程で液体化された水を混合する混合手段と、前記蒸気回収手段にて回収されたドレン水と前記液化手段で液体化された水をドレン水として前記系統に戻す工程とを有することを特徴とする。
【００１３】
この構成によると、前記系統内を流動する循環水及び（又は）その水に溶存している薬品を回収することができ、大気中への薬品の放出量を低減することができる。また水及び（又は)その水に溶存している薬品を再度利用するので、水及び薬品の前記系統への補給量を減少させることができる。
【００１４】
また、前記系統を備えた既設プラントに対しても簡単に設置することが可能であるので、既設プラントの稼動により発生する薬品の大気放出等の環境問題に対する対策としても有効である。
【００１５】
前記系統が必要とする場合には、上記構成の混合手段において混合されたドレン水に溶存している炭酸を取り除く脱炭酸手段を有していてもよい。
【００１６】
上記構成において前記液化手段はスクラバーであってもよい。前記スクラバーには純水を供給してもよく、スクラバーで使用するスプレー水を循環させてもよい。
【００１７】
前記液化手段としてスクラバーを利用することで、蒸気中に含まれる薬品をスプレー水中に吸収して回収することができる。また、前記液化手段はスクラバーに限定されるものではなく、薬品を含む気体中から薬品を回収できる方法を広く採用することができる。
【００１８】
上記構成において前記系統に薬品を補給するときに、薬品を希釈するための薬品希釈手段を有しており、前記混合手段にて混合されたドレン水を前記薬品希釈手段に使用してもよい。
【００１９】
上記構成において、前記混合手段にて混合された水より薬品を分離する薬品分離手段を有しており、前記薬品分離手段にて分離された薬品を、前記系統に補給する薬品として再利用するものとしてもよい。
【発明の効果】
【００２０】
本発明によると、薬品の前記系統外への排出を低減し、環境への悪影響を低減することができる。
【００２１】
また本発明によると、前記系統内を流動する循環水の水質を調整するために、補給する薬品量及び水量を減らすことで、ランニングコストを低く抑えることができる。
【発明を実施するための最良の形態】
【００２２】
本発明を実施するための最良の形態について、図面を参照しながら説明する。図１に、本発明に係る系統の薬品の回収装置を利用した配置図の一例を示す。図１に示す系統は原子力発電施設の二次系統である。
【００２３】
図１に示す系統ＳＣは、蒸気発生器ＳＧにて発生した蒸気でタービンを駆動して発電するプラントであり、蒸気発生器ＳＧと、高圧タービン１と、湿分分離加熱器２（ＭＳＲ）と、低圧タービン３と、復水器４と、脱塩設備５と、脱気器６から構成されている。これらの機器は、上記の順番で配列されている。また、前記系統ＳＣを循環する水（以下、循環水という）は、図示を省略した循環ポンプにより系統内部を循環する。
【００２４】
前記系統ＳＣ内部の循環水は、蒸気発生器ＳＧ内部で加熱され蒸気になる。蒸気発生器ＳＧで発生した蒸気（ここでは主蒸気）は高圧タービン１に送られる。主蒸気は高圧タービン１を駆動するとともに、圧力も低下する。高圧タービン１を駆動させた蒸気の大半は、湿分分離加熱器２に送られる。
【００２５】
湿分分離加熱器２にて主蒸気より余分な水分が分離される。湿分分離加熱器２より排出された主蒸気は、低圧タービン３に送られ、低圧タービン３を駆動する。低圧タービン３を駆動させた蒸気は復水器４に流入する。また復水器４には、タービンのシール用のグランド蒸気や給水ポンプのシール水等の循環水を一時保管する復水回収タンク４４も備えている。
【００２６】
復水器４では、水（例えば海水（図示せず））で冷却して、蒸気を循環水として凝縮させる。凝縮した循環水は脱塩装置５に送られる。復水器４では、内部を真空引きして、復水中の非凝縮性ガス等を復水器排気として前記系統外へ排出している。復水器４で凝縮した循環水は、脱塩設備５で不純物を除去して、脱気器６で溶存気体分離し、その後、蒸気発生器ＳＧに送られて再度蒸気となる。
【００２７】
前記系統、例えば原子力発電所の二次系統では、配管の腐食を防ぐために配管内を流れる循環水中に薬品を投入している。薬品は、アンモニア（ＮＨ３）、ヒドラジン（Ｎ２Ｈ４）等が用いられているが、これらに限定されない。前記系統内を流動する循環水中に薬品を所定量投入することで、循環水のｐＨを上げることができる。ｐＨを上げることで腐食を防ぐことができ、応力腐食割れも防ぐことができる。また、ヒドラジンを投入することで循環水内の溶存酸素の量を減らすことができる。
【００２８】
図２に、本発明にかかる前記系統の薬品の回収装置を備えた復水処理系統の配置図の一例を示す。図２に示す復水処理系統は、図１に示す二次系統の復水器４からの排ガスに含まれる蒸気及び蒸気に混入している薬品の回収系統を示す。
【００２９】
図２に示す復水処理系統は、復水器４を真空引きして非凝縮性ガスを排出するための蒸気回収手段である復水器真空ポンプ設備４１と、液化手段であるスクラバー設備４２と、混合手段を有する系統回収設備４３と、から構成される。また復水器４には、タービンのシール用のグランド蒸気や給水ポンプのシール水等の循環水を一時保管する復水回収タンク４４も備えている。また、必要に応じて、復水回収タンク４４の下流側に二酸化炭素を分離する脱炭酸設備４４１を備える場合もある。
【００３０】
前記蒸気回収手段である復水器真空ポンプ設備４１は、エゼクター４１１と、ポンプ４１２と、セパレータタンク４１３とを有している。該復水器真空ポンプ設備４１は、エゼクター４１１とポンプ４１２の組合せにより、復水器４を高真空下で真空引きして、復水中の非凝縮性ガス等を排出できる。復水器４から排出された蒸気は、エゼクター駆動用空気とともに、セパレータタンク４１３に流入する。セパレータタンク４１３に流入した空気と蒸気は、このセパレータタンク４１３で気液分離して、水と空気に分離される。
【００３１】
セパレータタンク４１３で分離後の蒸気を含んだ空気は、吸引ファン４１２で吸引されて、スクラバー設備４２に送られる。液化手段であるスクラバー設備４２は、吸引ファン４２１、スクラバー４２２、スプレーノズル４２３、ドレン配管４２４から構成されている。
【００３２】
スクラバー４２２は上部が大気解放されており、内部にスプレーノズル４２３及び消臭剤充填層４２６を有している。セパレータタンク４１３から送られた薬品含有蒸気を含んだ空気は、スクラバー４２２の下部に入り、消臭剤充填層４２６を通過する間に、スプレーノズル４２３でスプレーされたスプレー水と気液接触する。薬品含有蒸気は、スプレー水中に吸収されるとともに、消臭剤充填層４２６では蒸気中の薬品類が吸着され、空気中の薬品含有蒸気の大半が除去されて、薬品をほとんど含まない空気が、スクラバー４２２のトップから大気放出される。消臭剤充填層４２６には、例えば活性炭のような吸着材が充填され、アンモニア等の薬品を吸着する。薬品含有蒸気を吸収した水は、ドレン水としてドレン配管４２４にて系統回収設備４３へ送られる。
【００３３】
復水真空ポンプ設備４１のセパレータタンク４１３のドレン配管４１７及びスクラバー４２２のドレン配管４２４は、回収タンク４３１に接続しており、セパレータタンク４１３及びスクラバー４２２からの水が、回収タンク４３１にドレン水として回収され、ドレン水はタンク内で混合される。系統回収設備４３は、前記混合手段を有する回収タンク４３１と、ドレン水を前記系統へ戻す手段を構成する制御弁４３３とドレン配管４３５からなる。回収タンク４３１にはタンク内の水位をチェックするための水位測定器ＬＴが取り付けられている。
【００３４】
回収タンク４３１は大気解放タンクである。また、所定の位置にオーバーフロー用の配管４３４が設けられており、オーバーフロー用配管４３４は前記系統外の排水設備に接続している。回収タンク４３１に設置されたドレン配管４３５は復水器４に接続している。回収タンク４３１は大気解放タンクであり、一方復水器４は高真空下で運転されているため、回収タンク４３１と復水器４の圧力差によって、回収タンク４３１からのドレン水は、ドレン配管４３５中を復水器４へ流下して、前記系統へ戻される。ドレン配管４３５には、制御弁４３３が備えられている。
【００３５】
復水器４には水位測定器ＬＴが備えられており、復水器の水位を測定することができる。さらに、前記系統の所定の位置には給水導電率測定器４３０が備えられており、循環水の導電率を測定することができる。測定場所は、例えば蒸気発生器ＳＧ入口や脱気器６入口等が挙げられるが、これに限定されるものではない。導電率を測定することにより、循環水のｐＨを判定することができる。
【００３６】
水位測定器ＬＴにて測定される復水器４の水位、給水導電率測定器４３０にて測定される循環水の導電率及び水位測定器ＬＴにより測定される回収タンク４３１の水位をもとに、制御弁４３３の弁開度を制御する。また、必要な場合には、復水回収タンク４４の下流側に、二酸化炭素を分離する脱炭酸設備４４１を備える場合もある。
【００３７】
前記系統が必要とする場合には、図３に示すように制御弁４３３の上流側に脱炭酸設備４３２を設ける場合もある。ドレン水と大気とが接触する機器（スクラバー４２２、回収タンク４３１）及び前記系統内の各機器では、空気に含まれる二酸化炭素がドレン水及び循環水に溶け込む。そのため、溶存する二酸化炭素量が多い場合には、ｐＨを低下させてしまうことがある。このような場合には、脱炭酸設備４３２にてドレン水より二酸化炭素を取り除くことで、ドレン水のｐＨの低下を防ぐことができる。
【００３８】
図４に本発明にかかる前記復水処理系統の薬品の回収方法のフローチャートを示す。前記復水処理系統内の薬品の回収方法は、まずエゼクター４１１にエゼクター駆動用空気を吹き込み、復水器４より非凝縮性ガス及び蒸気を吸引する（蒸気回収工程：ステップＳ１）。セパレータタンク４１３では気液分離して、水と空気に分離する（蒸気回収工程：ステップＳ２）。セパレータタンク４１３から出た空気中に含まれる蒸気は、スクラバー４２２で回収される（蒸気回収工程：ステップＳ３）。
【００３９】
スクラバー４２２に回収された薬品含有蒸気は、スプレー水中に吸収されて液体化する（液化工程：ステップＳ４）。蒸気回収工程Ｓ２で回収した水と、液化工程Ｓ４で液体化された水をドレン水として回収タンク４３１に回収し混合する（混合工程：ステップＳ５）。混合工程Ｓ５にて回収タンク４３１で混合されたドレン水を、ドレン配管４３５を介して復水器４へ送り、系統に戻す（ステップＳ６）。
【００４０】
尚、図５に示すように系統が脱炭酸処理を必要とする場合、図５に示す復水処理系統の薬品の回収方法のフローチャートのように、回収タンク４３１からドレン配管４３５を介して脱炭酸設備４３２に送る（ステップＳ７）。ドレン水は脱炭酸設備４３２にて該ドレン水より二酸化炭素を分離する（脱炭酸工程：ステップＳ８）。脱炭酸工程Ｓ８にて二酸化炭素を分離されたドレン水は復水器４に送られ、系統へ戻される（ステップＳ９）。
【００４１】
このように、薬品及び水を回収し系統内に戻すことで、大気に放出される薬品の濃度を低減することができ、環境に対する悪影響を減少することができる。また、薬品及び水を再利用するので、薬品及び水の消費量を低減することができ、コストを低減することができる。
【００４２】
図６（Ａ）、（Ｂ）に系統回収設備の他の実施例の概略配置図を示す。図６（Ａ）に示す系統回収設備４３Ａは、回収タンク４３１に回収されたドレン水を、既設の復水回収タンク４４に送り、ここから復水器４へ送り、系統へ戻す配置図を示している。その他の構成は、図２に示す復水処理系統と同じ配置であり、実質上同一の部分には同一の符号が付してある。また、図６（Ｂ）に示す系統回収設備４３Ｂは、回収タンク４３１に回収されたドレン水を、前記系統の脱塩設備５の上流側に戻す配置図を示している。
【００４３】
図６（Ａ）に示す系統回収設備４３Ａでは、回収タンク４３１から延びるドレン配管４３５Ａには、制御弁４３３が取り付けられており、制御弁４３３を介して図２に示す復水回収タンク４４に接続している。復水器４に付属する水位測定器にて測定される復水器４の水位、給水導電率測定器４３０にて測定される循環水の導電率及び回収タンク４３１の水位をもとに、制御弁４３３の弁開度を制御する。給水導電率測定器４３０の設置場所は、例えば、蒸気発生器ＳＧの入口または脱気器６の入口側等があるが、これに限られない。
【００４４】
この復水回収タンク４４にドレン水を戻す系統回収設備４３Ａの場合、復水回収タンク４４の下流に脱炭酸設備４４１が設けられているので、系統回収設備４３Ａには脱炭酸設備の新設が不要となり、ドレン配管４３５Ａの圧力損失を低減することができる。また、設備の簡略化、コストを低減することができる。
【００４５】
図６(Ｂ)に示す系統回収設備４３Ｂは、回収タンク４３１から延びるドレン配管４３５Ｂが前記系統（二次循環水系）を構成する脱塩設備５の上流側に接続している。その他の構成は、図２に示す復水処理系統と同じ配置であり、実質上同一の部分には同一の符号が付してある。
【００４６】
図６（Ｂ）に示す系統回収設備４３Ｂは、回収タンク４３１から延びるドレン配管４３５Ｂには、制御弁４３３が取り付けられており、制御弁４３３を介して図２に示す復水脱塩設備５に接続している。復水器４に付属する水位測定器にて測定される復水器４の水位、給水導電率測定器にて測定される循環水の導電率及び回収タンク４３１の水位をもとに制御弁４３３の弁開度を制御する。導電率測定場所は、系統回収設備４３Ａと同様である。
【００４７】
系統回収設備４３Ｂの場合には、脱塩設備５が系統循環水中の二酸化炭素を取り除く機能も備えているので、図６（Ａ）に示す系統回収設備４３Ａと同様に脱炭酸設備を配置しなくてもよく、ドレン配管４３５Ｂの圧力損失を低減することができる。また、設備の簡略化、コストを低減することができる。
【００４８】
図７に本発明にかかる薬品の回収装置を備えた復水処理系統の他の概略配置図を示す。図７に示す薬品の回収装置は、スクラバー設備４２Ｃのスクラバー４２２Ｃにおいて、スプレー水を循環させる循環回路を有している。また、回収タンク４３１のドレン水は、ドレン配管４３５Ｃを経由して、補給する薬品を希釈するための希釈水タンク７に送られ、希釈水として利用される。また、セパレータタンク４１３のドレン水は、ドレン配管４１７Ｃを経由して、スクラバー４２２に送られる。その他の構成は、図２に示す復水処理系統の薬品の回収装置と同一の配置であり、実質上同一の部分には同一の符号が付してある。
【００４９】
図７に示すスクラバー４２２Ｃは、ポンプ４２５及び循環配管４２８から構成するスプレー水の循環系統を備え、循環配管４２８はスプレーノズル４２３に接続している。スクラバー４２２Ｃ廻りでのスプレー水の再循環により、スクラバー４２２Ｃ内部での空気とスプレー水との気液接触効率を高めて、薬品含有蒸気の吸収効率を上げることが出来る。スプレー水の供給源として、別途純水供給系統から補給することも出来る。純水供給系統は、純水配管４２７を備えており、スプレー水中の薬品濃度又はスプレー水の循環量にあわせて純水を補給する。
【００５０】
また、スクラバー４２２Ｃは水位測定器ＬＴを付属し、ドレン配管４２４Ｃには制御弁４２９が備えられている。水位測定器ＬＴで検出されたスクラバー４２２Ｃの水位をもとに制御弁４２９を制御し、回収タンク４３１に送るドレン水の量を調整している。
【００５１】
系統回収設備４３Ｃの回収タンク４３１に回収されたドレン水は、ドレン配管４３５Ｃを経由して、補給薬品を希釈するための希釈水タンク７に送られ、希釈水として利用できる。また、ドレン水から薬品のみを抽出する設備を設け、回収した薬品を再利用することも出来る。又水及び薬品の回収効率を上げ、補給する純水及び薬品量を低減して、余剰水等の発生を極力抑え、ランニングコストを抑えることができる。上記では希釈水タンク７用の希釈水として利用することを記載したが、図２、４に示すように、ドレン水を復水器４、復水回収タンク４４、復水脱塩設備５等に戻して、復水の回収効率をあげることでもよい。
【００５２】
図８は、セパレータタンク４１３及びスクラバー４２２で発生するドレン水を、復水回収タンク４４に回収する配置図を示している。ドレン配管４１７、４２４を回収タンク４３１に接続せずに、復水回収タンク４４に接続して、系統回収設備４３を省略した点が図２の構成と異なるが、他の構成は図２と同じであるので、同一の番号が使用できる。復水回収タンク４４の下流側には制御弁４３３が取り付けられており水位測定器ＬＴにて測定される復水器４の水位によって制御され、復水器４へのドレン水の流れを制限している。このような構成とすることにより、系統回収設備４３が不要となり、大幅なコストダウンを図ることが出来る。
【００５３】
以上の実施例において、従来大気放出されていた蒸気を回収することにより、環境問題の解決とランニングコストの向上を図ることが出来る対象設備として、復水器の排気系統を例に説明しているが、それに限定されるものではなく、脱気器等蒸気の排出ガス等に広く採用することができるものである。
【００５４】
また、以上の各実施例において、系統の薬品の回収方法及びその方法を利用した回収装置を設けた例として、原子力発電所の二次系統の復水処理系統を例に説明しているが、それに限定されるものではなく、系統内に薬品を注入し、蒸気が大気に排出されるプラント、配管、系統等に広く採用することができる。
【図面の簡単な説明】
【００５５】
【図１】本発明にかかる系統の薬品の回収装置を利用したものの一例の配置図である。
【図２】本発明にかかる系統の薬品の回収装置を備えた復水処理系統の一例の配置図である。
【図３】発明に本かかる系統の薬品の回収装置を備えた復水処理系統の他の実施例の配置図である。
【図４】本発明にかかる系統の薬品の回収方法の一例のフローチャートである。
【図５】本発明にかかる系統の薬品の回収方法の他の例のフローチャートである。
【図６】図（Ａ）は系統回収設備の他の例の概略配置図であり、図（Ｂ）は系統回収設備のさらに他の例の概略配置図である。
【図７】本発明にかかる系統の薬品の回収装置を備えた復水処理系統の他の例の概略配置図である。
【図８】本発明にかかる系統の薬品の回収装置を備えた復水処理系統のさらに他の例の概略配置図である。
【符号の説明】
【００５６】
１  高圧タービン
２  湿分分離加熱器（ＭＳＲ）
３  低圧タービン
４  復水器
４１    復水器真空ポンプ設備
４１１  エゼクター
４１２  ポンプ
４１３  セパレータタンク
４１７  ドレン配管
４２    スクラバー設備
４２１  吸引ファン
４２２  スクラバー
４２３  スプレーノズル
４２４  ドレン配管
４２５  ポンプ
４２６  消臭剤充填層
４２７  純水配管
４２８  循環配管
４２９  制御弁
４３    系統回収設備
４３０  給水導電率測定器
４３１  回収タンク
４３２  脱炭酸設備
４３３  制御弁
４３４  オーバーフロー用配管
４３５  ドレン配管
４４  復水回収タンク
４４１  脱炭酸設備
５  脱塩設備
６  脱気器
７  希釈水タンク
ＳＧ  蒸気発生器
【図１】
2005349308.tif 000003
【図２】
2005349308.tif 000004
【図３】
2005349308.tif 000005
【図４】
2005349308.tif 000006
【図５】
2005349308.tif 000007
【図６】
2005349308.tif 000008
【図７】
2005349308.tif 000009
【図８】
2005349308.tif 000010